(57)【要約】【課題】記録媒体表面の画像を、記録媒体を画像再生装置から取り出すことなく、表示することができる画像表示装置を提供する。【解決手段】ＤＶＤメディアＭは、画像再生装置１設けられた表面画像読取部２７６を通りながら画像再生装置１の内部に搬送される。このとき表面画像読取部２７６は、ＤＶＤメディアＭの表面画像２１ａを読み取り、記憶部２１に表面画像２１ａを記憶させ、記憶部２１に記録されたＤＶＤメディアＭの表面画像２１ａを、画像表示部としての画像投写部１０によって表示させる。【選択図】図３
2012150864.tif 000002
【特許請求の範囲】
【請求項１】
記録媒体に記録されている画像情報を読み出す読出部と、
前記記録媒体の表面画像を読み取る表面画像読み取り部と、
前記表面画像読取部が読み取った前記記録媒体の表面画像を記憶する記憶部と、
前記読出部が読み出した前記画像情報に基づいて画像を表示する画像表示部と、
入力操作を受け付ける入力操作部と、
前記入力操作部が受け付けた前記入力操作に基づいて、当該画像表示装置の動作を制御する制御部と、を備えた画像表示装置であって、
前記制御部は、所定の入力操作を受け付けると、前記記憶部に記録された、前記記録媒体の表面画像を前記画像表示部に表示させることを特徴とする、画像表示装置。
【請求項２】
請求項１に記載の画像表示装置であって、
前記記録媒体を当該画像表示装置に搬送するための記録媒体装着部をさらに備えたことを特徴とする、画像表示装置。
【請求項３】
請求項１または２に記載の画像表示装置であって、
前記記憶部に記録された、前記記録媒体の表面画像を指定の角度で回転させる画像回転部をさらに備えたことを特徴とする、画像表示装置。
【請求項４】
請求項１から３のいずれか一項に記載の画像表示装置であって、
前記記憶部は、当該画像再生装置で画像情報を読み出した、複数の記録媒体の表面画像を記憶することを特徴とする、画像表示装置。
【請求項５】
記録媒体に記録されている画像情報を読み出して表示する画像表示部を備えた画像表示装置の制御方法であって、
前記記録媒体の表面画像を読み取る、表面画像読み取りステップと、
前記表面画像読取部が読み取った前記記録媒体の表面画像を記憶する表面画像記憶ステップと、
前記読出部が読み出した前記画像情報に基づいて前記画像表示部に画像を表示する画像表示ステップと、
入力操作を受け付ける入力操作ステップと、
前記入力操作ステップが受け付けた前記入力操作に基づいて、当該画像表示装置の動作を制御する制御ステップと、
前記入力操作ステップが所定の入力操作を受け付けると、前記表面画像記憶ステップにより記録された、前記記録媒体の表面画像を前記画像表示部に表示させる、表面画像表示ステップと、
を備えたことを特徴とする、画像表示装置の制御方法。
【発明の詳細な説明】
【技術分野】
【０００１】
本発明は、記録媒体に記録されている画像情報を再生する画像再生部を備えた画像表示装置および、その制御方法に関する。
【背景技術】
【０００２】
画像を表示する画像表示装置（例えば、プロジェクター）において、ＤＶＤ（Ｄｉｇｉｔａｌ  Ｖｅｒｓａｔｉｌｅ  Ｄｉｓｃ）等の記録媒体に記録されている画像情報を再生するための画像再生手段を一体的に備えたものが知られている（特許文献１）。このような画像表示装置を用いれば、外部の画像再生装置を接続する必要なく、記録媒体に記録されている画像情報に基づく画像を容易に鑑賞することができる。
【先行技術文献】
【特許文献】
【０００３】
【特許文献１】特開２００５−９９６１７号公報
【発明の概要】
【発明が解決しようとする課題】
【０００４】
画像表示装置に装着されているＤＶＤメディアなどのタイトルを確認したい場合、メニュー操作を使ってタイトルを確認する方法がある。しかし、市販のＤＶＤでなく、個人で作成、コピーしたＤＶＤの場合、表面のラベルを見ないと、内容がわからないことがあった。この場合、一度再生を停止してＤＶＤメディアを取り出し、部屋を明るくする必要がある。また、再度ＤＶＤを挿入して読み込ませるときには時間がかかり、取り出し前に再生していた箇所まで戻すにも手間がかかるという問題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係る画像表示装置は、記録媒体に記録されている画像情報を読み出す読出部と、前記記録媒体の表面画像を読み取る表面画像読取部と、前記表面画像読取部が読み取った前記記録媒体の表面画像を記憶する記憶部と、前記読出部が読み出した前記画像情報に基づいて画像を表示する画像表示部と、入力操作を受け付ける入力操作部と、前記入力操作部が受け付けた前記入力操作に基づいて、当該画像表示装置の動作を制御する制御部と、を備えた画像表示装置であって、前記制御部は、所定の入力操作を受け付けると、前記記憶部に記録された、前記記録媒体の表面画像を前記画像表示部に表示させることを特徴とする。
【０００７】
本適用例によれば、当該画像表示装置に記録媒体を挿入する際に記録媒体の表面画像を読み取って記憶部に保存し、所定の操作で表示する。例えば、記録媒体の一例であるＤＶＤメディア表面に記載された内容を確認したいときに、ＤＶＤメディアの再生を停止して、ＤＶＤメディアを取り出す必要がないので、ＤＶＤメディアを再度挿入し、読み込み終了後、取り出し前に再生していた箇所を探すような時間と手間が発生するのを防止することが可能となる。
【０００８】
［適用例２］上記適用例に記載の画像表示装置において、前記記録媒体を当該画像表示装置に搬送するための記録媒体装着部をさらに備えたことを特徴とする。
【０００９】
本適用例によれば、当該画像表示装置に記録媒体を挿入する際には、記録媒体装着部によって記録媒体を搬送する。例えば、画像表示装置前面に開閉可能に設置されたディスクトレイによって、ＤＶＤメディアを容易に当該画像表示装置内へ搬送、および取り出しすることが可能となる。
【００１０】
［適用例３］上記適用例に記載の画像表示装置において、前記記憶部に記録された、前記記録媒体の表面画像を指定の角度で回転させる画像回転部をさらに備えたことを特徴とする。
【００１１】
本適用例によれば、画像表示装置で再生中の記録媒体の、記録された表面画像を表示する際に回転させることができるので、記録媒体を挿入したときの角度がどのような位置であっても、表面画像を見やすい角度に回転させて見ることが可能となる。
【００１２】
［適用例４］上記適用例に記載の画像表示装置において、前記記憶部は、当該画像再生装置で画像情報を読み出した、複数の記録媒体の表面画像を記憶することを特徴とする。
【００１３】
本適用例によれば、画像表示装置によって、過去に再生された記録媒体の表面画像を複数記憶し、表示させることができる。これによって、例えば学校や公共施設などで、不正にコピーされたＤＶＤメディアが再生されたことがないかどうか確認することが可能となる。
【００１４】
［適用例５］本適用例に係る画像表示装置の制御方法は、記録媒体に記録されている画像情報を読み出して表示する画像表示部を備えた画像表示装置の制御方法であって、前記記録媒体の表面画像を読み取る、表面画像読み取りステップと、前記表面画像読取部が読み取った前記記録媒体の表面画像を記憶する表面画像記憶ステップと、前記読出部が読み出した前記画像情報に基づいて前記画像表示部に画像を表示する画像表示ステップと、入力操作を受け付ける入力操作ステップと、前記入力操作ステップが受け付けた前記入力操作に基づいて、当該画像表示装置の動作を制御する制御ステップと、前記入力操作ステップが所定の入力操作を受け付けると、前記表面画像記憶ステップにより記録された、前記記録媒体の表面画像を前記画像表示部に表示させる、表面画像表示ステップと、を備えたことを特徴とする。
【００１５】
本適用例によれば、当該画像表示装置に記録媒体を挿入する際に記録媒体の表面画像を読み取って記憶部に保存し、所定の操作で表示する。例えば、ＤＶＤメディア表面に記載された内容を確認したいときに、ＤＶＤメディアの再生を停止して、ＤＶＤメディアを取り出す必要がないので、ＤＶＤメディアを再度挿入し、読み込み終了後、取り出し前に再生していた箇所を探すような時間と手間が発生するのを防止することが可能となる。
【図面の簡単な説明】
【００１６】
【図１】プロジェクターの斜視図。
【図２】プロジェクターのＤＶＤメディア挿入状態を示す上面図。
【図３】プロジェクターの回路構成を示すブロック図。
【図４】プロジェクターのＤＶＤメディア挿入時の動作を示すフローチャート。
【図５】ＤＶＤメディアの表面画像表示状態を示す図であり、（ａ）は表面画像を読み込んだ状態を示し、（ｂ）は表面画像を回転させて表示させた状態を示す図。
【図６】変形例１のプロジェクターのＤＶＤメディア挿入状態を示す斜視図。
【図７】変形例１のプロジェクターのＤＶＤメディア挿入状態を示す上面図。
【発明を実施するための形態】
【００１７】
以下、図面に基づいて本発明の画像表示装置の一実施形態であるプロジェクターについて説明するが、以下の実施形態は特許請求の範囲にかかる発明を限定するものではなく、また、実施形態における特徴の組み合わせの全てが発明の解決手段に必須であるとは限らない。
【００１８】
（第１実施形態）
図１は、本実施形態のプロジェクターの斜視図である。
図１に示すように、プロジェクター１は、外装を構成する筐体２によって装置本体が覆われた構成を有している。筐体２の前面２ｆには、外部のスクリーンＳＣ（図３参照）等に画像（画像光）を投写する投写レンズ１３が露出しており、投写レンズ１３の下側には、記録媒体であるＤＶＤメディアＭ（図２参照）を挿入するためのディスクスロット３が設けられている。また、筐体２の前面２ｆには、リモートコントローラー（リモコンとも称する）２３から送信される操作信号を受信するための操作信号受信部２４が配置されている。
【００１９】
筐体２には、複数の操作キー（操作ボタン）を備えて構成される本体操作部２２が設けられており、プロジェクター１に対して各種指示を行うことが可能になっている。本体操作部２２を構成する複数の操作キーのうち、ディスクスロット３からＤＶＤメディアを排出するための操作キー（イジェクトキー）は、筐体２の前面２ｆ（ディスクスロット３の近傍）に配置されており、それ以外の操作キーは、筐体２の上面２ｔに配置されている。
また、リモコン２３にも、本体操作部２２と同様、プロジェクター１に対して各種指示を行うための複数の操作キーが備えられており、プロジェクター１を遠隔操作することが可能になっている。
【００２０】
図２は、本実施形態のプロジェクターのＤＶＤメディア挿入状態を示す上面図である。
図２に示すように、筐体２の前面２ｆに設けられたディスクスロット３より挿入されたＤＶＤメディアＭは、ディスクスロット３近傍に配置された表面画像読取部２７６（詳しくは後述する。）を通りながら筐体２の内部に搬送される。
【００２１】
図３は、本実施形態のプロジェクターの回路構成を示すブロック図である。
図３に示すように、プロジェクター１は、画像表示部としての画像投写部１０、制御部２０、記憶部２１、光源制御部３７、入力操作部としての本体操作部２２、操作信号受信部２４、入力端子２５、入力選択部３３、ＤＶＤ再生部２７、画像処理部３４、ＯＳＤ処理部３５、電源部３６、電源端子４等で構成されており、これらは筐体２の内部に収容されている。
【００２２】
画像投写部１０は、光源１１、光変調装置としての３つの液晶ライトバルブ１２Ｒ、１２Ｇ、１２Ｂ、投写光学系としての投写レンズ１３、液晶駆動部１４等を含んでいる。画像投写部１０は、表示部に相当するものであり、光源１１から射出された光を、液晶ライトバルブ１２Ｒ、１２Ｇ、１２Ｂで変調して画像光を形成し、この画像光を投写レンズ１３から投写することによってスクリーンＳＣ等に画像を表示する。
【００２３】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２４】
液晶ライトバルブ１２Ｒ、１２Ｇ、１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
【００２５】
形成された各色の画像光は、図示しない色合成光学系によって画素毎に合成されてカラーの画像光となった後、投写レンズ１３によってスクリーンＳＣ等に拡大投写される。上記実施形態では、光源としてランプを用いて投射するプロジェクター１を例示したが、光源としてＬＥＤ（Light emitting diode）光源やレーザー光源などを用いて投写するプロジェクターにも適用することができる。
【００２６】
なお、上述した実施形態では、画像投写部１０は、光源１１、光変調装置としての３つの液晶ライトバルブ１２Ｒ、１２Ｇ、１２Ｂを用いた透過型液晶方式の投写光学系を例示したが、表示原理については、反射型液晶表示方式やマイクロミラーデバイス方式（ライトスイッチ表示方式）など、他の表示方式を採用しても良い。
【００２７】
制御部２０は、ＣＰＵ（Central Processing Unit）や、各種データ等の一時記憶に用いられるＲＡＭ（Random Access Memory）等を備え、記憶部２１に記憶されている制御プログラム（図示せず）に従って動作することによりプロジェクター１の動作を統括制御する。つまり、制御部２０は、記憶部２１とともにコンピューターとして機能する。
【００２８】
記憶部２１は、フラッシュメモリーやＦｅＲＡＭ（Ferroelectric RAM：強誘電体メモリー）等の書き換え可能な不揮発性のメモリーにより構成されている。記憶部２１には、プロジェクター１の動作を制御するための制御プログラムや、プロジェクター１の動作条件等を規定する各種設定データ等が記憶されている。本実施形態では後述する、表面画像読取部２７６によって読み込まれた表面画像２１ａが記憶される。
【００２９】
本体操作部２２、及びリモコン２３は、上述したように複数の操作キーを備えており、ユーザーからの入力操作（操作キーの操作）を受け付ける入力操作部に相当するものである。複数の操作キーには、上述したイジェクトキーの他に、電源のオンとオフとを切り替えるための電源キーや、ＤＶＤメディアＭの再生を開始させるための再生キー、ＤＶＤメディアＭの再生を停止させるための停止キー、画像情報の入力元（入力ソース）を切り替えるための入力切替キー等が含まれ、これらは、本体操作部２２、及びリモコン２３の双方に備えられている。
また、設定メニュー等を重畳表示させるためのメニューキー、設定メニュー等で項目の選択に用いられる方向キー（上下左右に対応する４つの操作キー）、選択された項目を確定させる決定キー、動作の取り消し等を行うための取消キー、暗証番号を入力するための数字キー（０〜９に対応する１０個の操作キー）等は、リモコン２３にのみ備えられている。
【００３０】
ユーザーが本体操作部２２の各種操作キーを操作すると、本体操作部２２は、ユーザーの操作内容（操作された操作キー）に応じた操作信号を制御部２０に出力する。また、ユーザーがリモコン２３の各種操作キーを操作すると、リモコン２３は、ユーザーの操作内容に応じた赤外線の操作信号を発し、操作信号受信部２４がこれを受信して制御部２０に伝達する。
【００３１】
入力端子２５には、パーソナルコンピューターやビデオ再生装置等、外部の画像出力装置から、各種形式の画像情報がケーブル（図示せず）を介して入力される。入力端子２５に入力された画像情報は、入力選択部３３に供給される。
【００３２】
入力選択部３３は、入力端子２５から入力される画像情報（外部入力画像情報）と、ＤＶＤ再生部２７から入力される画像情報（ＤＶＤ画像情報）のいずれか一方を、制御部２０の指示に基づいて選択し、選択した画像情報を画像処理部３４に出力する。
ユーザーが、本体操作部２２、或いはリモコン２３に備わる入力切替キーを操作して所望の画像情報を指定すると、制御部２０は、指定された画像情報が画像処理部３４に出力されるよう、入力選択部３３に指示をする。
つまり、入力選択部３３は、外部入力画像情報に基づく画像（外部入力画像）を投写（表示）する状態と、ＤＶＤ再生部２７によって再生されたＤＶＤ画像情報に基づく画像（ＤＶＤ画像）を投写（表示）する状態とを、ユーザーの入力操作に応じて切り替えることができる。
【００３３】
ＤＶＤ再生部２７は、記録媒体としてのＤＶＤメディアＭに記録された画像情報を再生する画像再生部に相当するものであり、挿入センサー２７１、メディア搬送部２７２、装着センサー２７３、データ読取部２７４、データ処理部２７５及び表面画像読取部２７６等を含んで構成されている。
【００３４】
挿入センサー２７１は、ディスクスロット３の近傍に配置され、ＤＶＤメディアＭの一部がディスクスロット３に挿入されたことを検出して制御部２０に通知する。
【００３５】
メディア搬送部２７２は、ＤＶＤメディアＭを搬送するための搬送ローラー、及び搬送ローラーを回転駆動する駆動モーター（いずれも図示せず）等によって構成され、制御部２０の指示に基づいて、ＤＶＤ再生部２７内におけるＤＶＤメディアＭの搬送を行う。具体的には、ユーザーがＤＶＤメディアＭの一部をディスクスロット３に挿入し、挿入センサー２７１がこの挿入を検出すると、制御部２０は、メディア搬送部２７２に指示をして、ＤＶＤメディアＭをＤＶＤ再生部２７内部に引き込んでターンテーブル（図示せず）上に装着させる。また、ユーザーにより本体操作部２２のイジェクトキーが操作されると、制御部２０は、メディア搬送部２７２に指示をして、ターンテーブルからＤＶＤメディアＭを離脱させ、ＤＶＤメディアＭをディスクスロット３から排出させる。
【００３６】
表面画像読取部２７６は、ＤＶＤメディアＭの表面画像を読み取る、表面画像の読み取り部であり、例えば、ラインスキャナーなどの光学式読み取り装置で構成される。表面画像読取部２７６は、ディスクスロット３の近傍に配置され、制御部２０の指示に基づいてＤＶＤ再生部２７内にＤＶＤメディアＭを搬送する際に、ＤＶＤメディアＭの表面の画像を順次読み取り、記憶部２１に表面画像２１ａを記憶させる。
【００３７】
装着センサー２７３は、ターンテーブルの近傍に配置され、ターンテーブルにＤＶＤメディアＭが装着されていることを検出して制御部２０に通知する。
【００３８】
読出部としてのデータ読取部２７４は、ＤＶＤメディアＭに記録されている画像情報を読み出す読み出し部であり、制御部２０の指示に基づいて、ターンテーブル上に装着されたＤＶＤメディアＭをスピンドルモーター（図示せず）で回転させるとともに、光ピックアップ（図示せず）を走査して、ＤＶＤメディアＭに記録されているデータストリームを順次読み取る。このデータストリームは、符号化された画像情報や音声情報が多重化された情報であり、データ読取部２７４によって読み取られたデータストリームは、データ処理部２７５に順次出力される。
【００３９】
データ処理部２７５は、デマルチプレクサーやデコーダー等で構成され、制御部２０の指示に基づいて、データ読取部２７４から入力されるデータストリームを画像情報と音声情報とに分離する処理や、分離した画像情報及び音声情報をデコード（復号化）する処理等を行う。
データ処理部２７５は、復号化された画像情報を入力選択部３３に出力し、復号化された音声情報を図示しない音声出力手段に出力する。なお、ＤＶＤ再生部２７が、ＤＶＤメディアＭからデータストリームを読み取って、このデータストリームに基づく画像情報を出力することを、本明細書では「画像情報を再生する」又は「ＤＶＤを再生する」と表記する。
【００４０】
制御部２０は、本体操作部２２又はリモコン２３からの再生キーの操作信号を受け付けると、ＤＶＤ再生部２７に指示をして、画像情報の再生を開始させる。
また、制御部２０は、本体操作部２２又はリモコン２３からの停止キーの操作信号を受け付けると、ＤＶＤ再生部２７に指示をして、画像情報の再生を停止させる。
【００４１】
挿入センサー２７１及び装着センサー２７３は、例えば、メカニカルスイッチ、光センサー、磁気センサー等の各種検出手段を用いて構成することができる。また、装着センサー２７３に関しては、上述した光ピックアップが受光する反射光の信号レベルによってＤＶＤメディアＭの装着の有無を検出する態様とすることも可能である。
【００４２】
画像処理部３４は、入力選択部３３から入力される画像情報を、液晶ライトバルブ１２Ｒ、１２Ｇ、１２Ｂの各画素の階調を表す画像情報、即ち各画素に印加する駆動電圧を規定するための画像情報に変換する。さらに、画像処理部３４は、制御部２０の指示に基づいて、変換した画像情報に対して、明るさ、コントラスト、シャープネス、色合い等を調整するための画質調整処理等を行う。画像処理部３４で画質調整等がなされた画像情報は、ＯＳＤ処理部３５に出力される。
【００４３】
ＯＳＤ処理部３５は、制御部２０の指示に基づいて、投写画像（外部入力画像又はＤＶＤ画像）上に、メニュー画像やメッセージ画像等のＯＳＤ（オンスクリーンディスプレイ）画像を重畳して表示するための処理を行う。
ＯＳＤ処理部３５は、図示しないＯＳＤメモリーを備えており、ＯＳＤ画像を形成するための図形やフォント等を表すＯＳＤ画像情報を記憶している。制御部２０が、ＯＳＤ画像の重畳表示を指示すると、ＯＳＤ処理部３５は、必要なＯＳＤ画像情報をＯＳＤメモリーから読み出し、投写画像上の所定の位置にＯＳＤ画像が重畳されるように、画像処理部３４から入力される画像情報にこのＯＳＤ画像情報を合成する。ＯＳＤ画像情報が合成された画像情報は、液晶駆動部１４に出力される。
なお、制御部２０からＯＳＤ画像を重畳する旨の指示がない場合には、ＯＳＤ処理部３５は、画像処理部３４から入力される画像情報を、そのまま液晶駆動部１４に出力する。
【００４４】
液晶駆動部１４は本実施形態における画像形成部であり、ＯＳＤ処理部３５から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００４５】
電源部３６には、ＡＣ１００Ｖ等の商用電源が電源端子４を介して外部から供給される。電源部３６は、商用電源（交流電源）を所定の電圧の直流電源に変換して、プロジェクター１の各部に電力を供給する。また、電源部３６は、制御部２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４６】
光源制御部３７は、制御部２０の指示に基づいて、光源１１に対する電力の供給と停止とを制御し、光源１１の点灯及び消灯を切り替える。
【００４７】
本実施形態のプロジェクター１は、上記のように構成されているため、電源端子４に電源ケーブル（図示せず）が接続され、電源部３６に商用電源が供給されると、電源部３６は、少なくとも制御部２０、記憶部２１、本体操作部２２、及び操作信号受信部２４に電力（スタンバイ電力）の供給を行い、制御部２０は、この電力供給を受けて、制御プログラムに従った動作を開始する。
商用電源が供給された直後には、プロジェクター１は、スタンバイ状態（「電源オフ状態」ともいう。）であり、光源１１を消灯させた状態を維持している。そして、本体操作部２２又はリモコン２３に備わる電源キーがユーザーにより操作されると、制御部２０は、電源部３６に指示をして、各部への動作電力の供給を開始させ、プロジェクター１を電源オン状態に移行させる。
【００４８】
プロジェクター１が電源オン状態に移行すると、制御部２０は、光源制御部３７に指示をして光源１１を点灯させる。そして、ユーザーが画像出力装置とプロジェクター１（入力端子２５）を接続して、画像出力装置からの画像情報の出力を開始させると、入力端子２５に外部入力画像情報が入力される。そして、ユーザーが必要に応じて入力切替キーを操作して外部入力画像情報を指定すると、画像投写部１０から外部入力画像が投写される。
一方、ユーザーがＤＶＤメディアＭをディスクスロット３に挿入すると、ＤＶＤ再生部２７は、ＤＶＤ画像情報の再生を開始し、画像投写部１０からＤＶＤ画像が投写される。また、ＤＶＤ画像情報の再生が行われている状態で停止キーが操作されると、ＤＶＤ再生部２７は、ＤＶＤ画像情報の再生を停止する。
【００４９】
次に、本実施形態のプロジェクター１にＤＶＤメディアＭが挿入されたときの動作を図４のフローチャートを用いて説明する。
図４に示すように、まずプロジェクター１がＤＶＤメディアＭの挿入を検出すると（ステップＳ１０１）、制御部２０の指示により、メディア搬送部２７２によりＤＶＤメディアＭをプロジェクター１の内部に搬送しながら、表面画像読取部２７６によって、ＤＶＤメディアＭの表面の画像を読み取り、記憶部２１に表面画像２１ａとして保存する（ステップＳ１０２）。
【００５０】
次に制御部２０は、ステップＳ１０３においてＤＶＤ再生部２７に装着されているＤＶＤメディアＭに記録された画像情報の再生を開始し、ステップＳ１０４に移行する。
【００５１】
ステップＳ１０４において制御部２０は、本体操作部２２またはリモコン２３から表面画像の表示を指示する操作信号を受信（検出）したか否かを調べる。操作信号を受信（検出）した場合（ステップＳ１０４：Ｙ）はステップＳ１０７に移行し、操作信号を受信（検出）していない場合（ステップＳ１０４：Ｎ）はステップＳ１０５に移行する。
【００５２】
ステップＳ１０７において制御部２０は、ＤＶＤメディアＭの再生を停止する。次に、制御部２０は、保存された表面画像２１ａを画像投写部１０に投写させ（ステップＳ１０８）、ステップＳ１０９に移行する。このときの表面画像２１ａの表示状態を図５（ａ）に示す。
【００５３】
ステップＳ１０９において制御部２０は、本体操作部２２またはリモコン２３から表示中の表面画像２１ａを回転させる操作信号を受信（検出）したか否かを調べる。操作信号を受信（検出）した場合（ステップＳ１０９：Ｙ）は、表示中の表面画像２１ａを指定の角度で回転させて画像投写部１０に投写させ（ステップＳ１１０）、ステップＳ１０９に移行する。回転後の表面画像２１ａの表示状態を図５（ｂ）に示す。
一方、操作信号を受信（検出）していない場合（ステップＳ１０９：Ｎ）は、ステップＳ１１１に移行する。
【００５４】
ステップＳ１１１において制御部２０は、本体操作部２２またはリモコン２３から表面画像の表示を終了させる操作信号を受信（検出）したか否かを調べる。操作信号を受信（検出）した場合（ステップＳ１１１：Ｙ）は、ステップＳ１１２に移行し、操作信号を受信（検出）していない場合（ステップＳ１１１：Ｎ）、ステップＳ１０９からの動作を繰り返す。
【００５５】
ステップＳ１１２において制御部２０は、表示中の表面画像２１ａを表示画面より消去した後、ＤＶＤメディアＭの再生を再開し、ステップＳ１０４に移行する。
【００５６】
ステップＳ１０５において制御部２０は、本体操作部２２またはリモコン２３からＤＶＤメディアＭを排出する操作信号を受信（検出）したか否かを調べる。操作信号を受信（検出）した場合（ステップＳ１０５：Ｙ）は、ステップＳ１０６に移行し、操作信号を受信（検出）していない場合（ステップＳ１０５：Ｎ）、ステップＳ１０４からの動作を繰り返す。
【００５７】
ステップＳ１０６において制御部２０は、ＤＶＤメディアＭの再生を停止した後、ＤＶＤメディアＭを筐体２の外部に排出し、本動作フローを終了する。
【００５８】
以上説明したように、本実施形態のプロジェクター１によれば、ＤＶＤメディアＭをプロジェクター１の内部に搬送する際にＤＶＤメディアＭの表面画像を表面画像読取部２７６で読み取って記憶部２１に表面画像２１ａとして保存し、所定の操作によって画像投写部１０に投写する。これにより、ＤＶＤメディアＭの表面に記載された内容を確認したいときに、ＤＶＤメディアＭの再生を停止して取り出す必要がなく、ＤＶＤメディアＭを再度挿入し、読み込み終了後、取り出し前に再生していた箇所を探すような時間と手間が発生するのを防止することが可能となる。
【００５９】
また、上記実施形態は、以下のように変更してもよい。
（変形例１）
上記実施形態では、ＤＶＤメディアＭを筐体２に取り込む際、スロットイン方式を採用しているが、開閉式のディスクトレイによってＤＶＤメディアＭを取り込むようにしてもよい。
本変形例のプロジェクター１のＤＶＤメディアＭの挿入状態を図６、図７を用いて説明する。なお、第１実施形態と同じ構成部材には同一符号を付し、ここではそれらの説明を省略又は簡略化する。
【００６０】
図６は、本変形例のプロジェクター１のＤＶＤメディアＭ挿入状態を示す斜視図である。
図６に示すように、プロジェクター１の筐体２の前面２ｆには開閉式のディスクトレイ４０が配置され、ディスクトレイ４０を開閉するための操作キー（本体操作部２２）が、筐体２の前面２ｆ（ディスクトレイ挿入口４１の近傍）に配置されている。
【００６１】
図７は、本変形例のプロジェクター１のＤＶＤメディアＭ挿入状態を示す上面図である。
図７に示すように、筐体２の前面２ｆに開閉式に設けられたディスクトレイ４０のトレイ上に置かれたＤＶＤメディアＭは、ディスクトレイ挿入口４１近傍に配置された表面画像読取部２７６を通りながら筐体２の内部に搬送される。
【００６２】
（変形例２）
上記実施形態では現在再生中のＤＶＤメディアＭの表面画像２１ａのみを表示するようにしているが、再生された複数のＤＶＤメディアＭの表面画像２１ａを記憶部２１に保存していき、所定の操作で読み出して画像投写部１０で表示するようにしてもよい。これによって、例えば学校や公共施設などで、不正にコピーされたＤＶＤメディアが再生されたことがないかどうかを過去に再生したＤＶＤメディアＭの表面画像２１ａを見ながら確認することが可能となる。
【００６３】
（変形例３）
上記実施形態ではＤＶＤ（Ｄｉｇｉｔａｌ  Ｖａｒｓａｔｉｌｅ  Ｄｉｓｃ）メディアＭを再生する場合について説明したが、これに限るものでなく、例えばＢｌｕ−ｒａｙディスク（商標）などのように円盤型で表面画像を読み取り可能な記録媒体を再生する装置にしてもよい。
【符号の説明】
【００６４】
１…プロジェクター、２…筐体、３…ディスクスロット、４…電源端子、１０…画像投写部、１１…光源、１２Ｒ，１２Ｇ，１２Ｂ…液晶ライトバルブ、１３…投写レンズ、１４…液晶駆動部、２０…制御部、２１…記憶部、２１ａ…表面画像、２２…本体操作部、２３…リモートコントローラー、２４…操作信号受信部、２５…入力端子、２７…ＤＶＤ再生部、２７１…挿入センサー、２７２…メディア搬送部、２７３…装着センサー、２７４…データ読取部、２７５…データ処理部、２７６…表面画像読取部、３３…入力選択部、３４…画像処理部、３５…ＯＳＤ処理部、３６…電源部、３７…光源制御部、４０…ディスクトレイ（記録媒体装着部）、４１…ディスクトレイ挿入口、Ｍ…ＤＶＤメディア（記録媒体）。
【図１】
2012150864.tif 000003
【図２】
2012150864.tif 000004
【図３】
2012150864.tif 000005
【図４】
2012150864.tif 000006
【図５】
2012150864.tif 000007
【図６】
2012150864.tif 000008
【図７】
2012150864.tif 000009